(57)【特許請求の範囲】
【請求項１】
顧客の希望に応じた建物の性能及び価格を出力する建築支援システムであって、
希望する建物の坪数、庇の深さ、敷地周囲の空き、建物の向き、南向きの窓の大きさ、建築地、を含む希望建物情報、家族の人数、終日在宅人数、外出時間、冬季の希望体感室温、使用する冷暖房設備、を含む生活スタイル情報、冬季の希望暖房費、を含むランニングコスト情報、を入力するための入力手段と、
少なくとも、地域毎の気温及び日照時間を含む気象データ、建物の外皮面積係数データ、光熱費単価データ、が予め記憶されているデータベースと、
入力された、前記庇深さ、前記建物の向き、及び前記敷地周囲の空き、に基づいて冬季窓日射取得率を算出する冬季窓日射取得率算出手段と、
入力された前記建築地における冬季の前記気温を前記データベースから抽出して冬季平均気温を算出する冬季平均気温算出手段と、
入力された前記建築地における冬季の前記日照時間を前記データベースから抽出して冬季平均日照時間を算出する冬季平均日照時間算出手段と、
入力された前記建物の坪数に基づいて、建物の換気係数を算出する換気係数算出手段と、
入力された前記建物の坪数、前記データベースから抽出された前記外皮面積係数、に基づいて、建物の想定外皮面積を算出する想定外皮面積算出手段と、
入力された前記建物の坪数、前記冬季の希望暖房費、前記使用する冷暖房設備、前記南向きの窓の大きさ、前記終日在宅人数、前記外出時間、前記冬季の希望体感温度、及び、算出された前記冬季窓日射取得率、前記冬季平均日照時間、前記冬季平均気温、及び、前記データベースから抽出された前記光熱費単価データ、に基づいて、希望する建物の性能の一つとしての熱損失係数を算出する熱損失係数算出手段と、
算出された前記熱損失係数、前記換気係数、前記想定外皮面積、に基づいて、希望する建物の性能の一つとしての外皮平均熱貫流率を算出する外皮平均熱貫流率算出手段と、
算出された前記熱損失係数、前記外皮平均熱貫流率、を出力する出力手段と
を具備していることを特徴とする建築支援システム。
【請求項２】
前記入力手段は、
外観の異なる複数の建物の中から希望する建物の外観を入力することができ、且つ、
前記データベースは、
前記外皮面積係数データが、前記建物の外観毎に関連付けられており、
前記想定外皮面積算出手段は、
入力された前記建物の外観に関連付けられた前記外皮面積係数を前記データベースから抽出して算出に用いる
ことを特徴とする請求項１に記載の建築支援システム。
【発明の詳細な説明】
【技術分野】
【０００１】
本発明は、顧客の希望に応じた建物の性能及び価格を出力する建築支援システムに関するものである。
【背景技術】
【０００２】
近年、建物における冷暖房の省エネルギー化に関する関心が高まっており、ハウスメーカでは、自社の建物の省エネルギー化に関する性能として、熱損失係数（Ｑ値）を表示するようにしている。熱損失係数は、「建物の床、壁、及び屋根（又は天井）、の各部位の熱損失の合計」から「建物の換気による熱損失量」を引いたものを、「建物の床面積」で割ったものであり、数値が小さいほど、建物の断熱性能が高いことを表している。
【０００３】
ところが、顧客にとっては、熱損失係数の表示だけでは建物の良さが判り辛いため、熱損失係数から、例えば一か月間の電気料金を算出して顧客に提示することで、建物の性能を理解し易いようにしていた。熱損失係数から一か月間の電気料金を算出する計算方法は、まず、熱損失係数と、「建物の床面積（坪数）」と、「建物内外の温度差」とで、当該建物における一秒間に外部へ逃げる熱量を算出し、これを、一か月間に外部へ逃げる熱量に換算する。そして、一か月間に外部へ逃げる熱量と、「エアコンによる熱量」と、「エアコンの熱変換効率」とで、一か月間の使用電気量を算出し、一か月間の使用電気量から一か月間の電気料金（冷暖房費）を算出していた。
【０００４】
しかしながら、上記の計算方法では、エアコンを一日中稼働させていることを前提としており、算出された冷暖房費が実際よりも高くなる問題があった。これに対して、顧客の現在の冷暖房費やエアコンの性能等を用いて補正を行うことで、希望する建物（熱損失係数）に対してより現実に近い冷暖房費を算出することができるものが（特許文献１）。この特許文献１の技術によれば、より現実に近い冷暖房費（ランニングコスト）が判ることで、建物の性能がより理解し易くなり、それに合わせた生活スタイルを考え易くすることができる。
【０００５】
しかしながら、特許文献１のような技術では、建物の性能に基づいて、ランニングコストを算出して生活スタイルを考えるようにしていることから、建物（熱損失係数）を先に決定しなければならず、顧客が希望するランニングコストや生活スタイルにマッチした建物（建物の性能）を提示することができなかった。
【先行技術文献】
【特許文献】
【０００６】
【特許文献１】特開２００５−３３２１６５号公報
【発明の概要】
【発明が解決しようとする課題】
【０００７】
そこで、本発明は、上記の実情に鑑み、顧客の希望するランニングコストや生活スタイルに基づいて建てるべき建物を提示することが可能な建築支援システムの提供を課題とする。
【課題を解決するための手段】
【０００８】
上記の課題を解決するために、本発明にかかる建築支援システムは、「顧客の希望に応じた建物の性能及び価格を出力する建築支援システムであって、希望する建物の坪数、庇の深さ、敷地周囲の空き、建物の向き、南向きの窓の大きさ、建築地、を含む希望建物情報、家族の人数、終日在宅人数、外出時間、冬季の希望体感室温、使用する冷暖房設備、を含む生活スタイル情報、冬季の希望暖房費、を含むランニングコスト情報、を入力するための入力手段と、少なくとも、地域毎の気温及び日照時間を含む気象データ、建物の外皮面積係数データ、光熱費単価データ、が予め記憶されているデータベースと、入力された、前記庇深さ、前記建物の向き、及び前記敷地周囲の空き、に基づいて冬季窓日射取得率を算出する冬季窓日射取得率算出手段と、入力された前記建築地における冬季の前記気温を前記データベースから抽出して冬季平均気温を算出する冬季平均気温算出手段と、入力された前記建築地における冬季の前記日照時間を前記データベースから抽出して冬季平均日照時間を算出する冬季平均日照時間算出手段と、入力された前記建物の坪数に基づいて、建物の換気係数を算出する換気係数算出手段と、入力された前記建物の坪数、前記データベースから抽出された前記外皮面積係数、に基づいて、建物の想定外皮面積を算出する想定外皮面積算出手段と、入力された前記建物の坪数、前記冬季の希望暖房費、前記使用する冷暖房設備、前記南向きの窓の大きさ、前記終日在宅人数、前記外出時間、前記冬季の希望体感温度、及び、算出された前記冬季窓日射取得率、前記冬季平均日照時間、前記冬季平均気温、及び、前記データベースから抽出された前記光熱費単価データ、に基づいて、希望する建物の性能の一つとしての熱損失係数を算出する熱損失係数算出手段と、算出された前記熱損失係数、前記換気係数、前記想定外皮面積、に基づいて、希望する建物の性能の一つとしての外皮平均熱貫流率を算出する外皮平均熱貫流率算出手段と、算出された前記熱損失係数、前記外皮平均熱貫流率、を出力する出力手段とを具備している」ものである。
【０００９】
ここで、「入力手段」としては、「キーボード」、「マウス」、「ポインティングデバイス」、「タッチパネル」、を例示することができる。また、入力手段における各項目での入力としては、「具体的な数値の入力」、「予め設定された複数の数値からの選択入力」、「夫々が具体的な数値と関連付けられており、強い弱い、大きい小さい、広い狭い、等のような抽象的な複数の言葉の中からの選択入力」、を例示することができる。
【００１０】
また、「冷暖房設備」としては、「電気エアコン」、「ガスエアコン」、「電気ヒータ」、「石油ストーブ」、「石油ファンヒータ」、「ガスヒータ」、「床暖房器」、を例示することができ、夫々の設備毎に、通年エネルギー消費効率（ＡＰＦ）や冷暖房平均エネルギー効率（ＣＯＰ）等と関連付けられている。
【００１１】
更に、「データベース」としては、「コンピュータに内蔵又外付けされているハードディスクドライブ（ＨＤＤ）に記憶されているもの」、「ネットワークを介して接続されるネットワークドライブに記憶されているもの」、「ＣＤ、ＤＶＤ、ＢＤ（ブルーレイディスク）、等の光学ディスクに記憶されているもの」、「ＵＳＢメモリ、メモリーカード（ＳＤカード）、等のフラッシュメモリに記憶されているもの」、等が挙げられる。
【００１２】
また、「冬季」としては、「１２月、１月、２月、の三か月間」、「１２月、１月、２月、の三か月のうちの特定の月の間」、を例示することができる。また、「光熱費データ」としては、「電気代」、「ガス代」、「灯油代」、等が含まれる。
【００１３】
また、「外皮面積係数」とは、床面積から建物全体の表面積（外皮面積）を算出するための係数であり、０．３〜０．４の範囲内の数値が用いられる。また、各部位の「Ｕ値」とは、床、壁、屋根、天井、窓、等における材質や構造に応じた熱貫流率（熱の通り易さ）のことである。
【００１４】
更に、「外皮平均熱貫流率（ＵＡ値）」とは、「建物の床、壁、屋根又は天井、の各部位の熱損失の合計」から「建物の換気による熱損失量」を引いたものを、「建物の表面積」で割ったものである。つまり、熱損失係数（Ｑ値）が床面積で割ったものであるのに対して、外皮平均熱貫流率（ＵＡ値）が表面積で割ったものであり、より正確な建物の断熱性能を表すことができるものである。
【００１５】
また、各「算出手段」は、汎用又は専用のコンピュータにおいて、対応するプログラムが実行されることで具現化されるものである。
【００１６】
また、「出力手段」としは、「液晶表示装置」、「ＣＲＴ表示装置」、「プロジェクタ表示装置」、「プリンタ」、「スピーカ」、を例示することができる。
【００１７】
本発明は、熱損失係数から建物の冷暖房費（ランニングコスト）を算出するための計算方法に着目し、ランニングコストから熱損失係数を算出するものである。ところで、熱損失係数から冷暖房費を算出する従来の計算方法では、季節の移り変わりによる日差しの影響や、気温の変化による建物の内部発熱による影響、等を考慮していなかった。そのため、それらの影響が大きくなる夏季の冷暖房費を、建物の熱損失係数から算出すると、実際の冷暖房費から大きくかけ離れた値が算出されてしまい、従来の計算方法を単に逆算しただけでは、正確な熱損失係数を算出することができなかった。
【００１８】
これに対して、本発明では、熱損失係数を算出する際に、冬季の希望体感室温、冬季の希望暖房費、建築地における冬季平均気温、冬季窓日射取得率、冬季平均日照時間、南向きの窓の大きさ、を用いているため、日差しや内部発熱等による影響の少ない冬季を基準としつつ、日差しや内部発熱による熱量を加味することができる。また、終日在宅人数、外出時間、を用いているため、一日における冷暖房設備の稼働時間（熱量）を加味することができる。これらのことから、熱損失係数の算出に必要な熱量を、正確に把握することができ、より正確な熱損失係数を算出することができる。
【００１９】
従って、本発明によれば、希望建物情報（希望する建物の坪数、庇の深さ、敷地周囲の空き、建物の向き、南向きの窓の大きさ、建築地）と、生活スタイル情報（家族の人数、終日在宅人数、外出時間、冬季の希望体感室温、使用する冷暖房設備）と、ランニングコスト情報（冬季の希望暖房費）と、を入力すると、顧客の希望した生活スタイルやランニングコストにマッチした建物の性能（熱損失係数、外皮平均熱貫流率）が出力されるため、顧客の希望するランニングコストや生活スタイルに基づいて建てるべき建物を提示することができる。
【００２０】
また、建てるべき建物の性能として、熱損失係数（Ｑ値）に加えて、外皮平均熱貫流率（ＵＡ値）も出力するため、建物の性能として二種類の指標を提示することで、顧客に対して建てるべき建物の性能をより理解し易くすることができる。
【００２１】
また、本発明に係る建築支援システムは、上記の構成に加えて、「前記入力手段は、外観の異なる複数の建物の中から希望する建物の外観を入力することができ、且つ、前記データベースは、前記外皮面積係数データが、前記建物の外観毎に関連付けられており、前記想定外皮面積算出手段は、入力された前記建物の外観に関連付けられた前記外皮面積係数を前記データベースから抽出して算出に用いる」ものである。
【００２２】
本発明によると、顧客の希望する建物の外観を入力すると、その希望した建物の外観で、顧客の希望した生活スタイルやランニングコストにマッチした建物の性能が出力されるため、顧客の希望するランニングコストや生活スタイルに基づいた建物を提示することができる。
【発明の効果】
【００２３】
以上のように、本発明の効果として、顧客の希望するランニングコストや生活スタイルに基づいて建てるべき建物を提示することが可能な建築支援システムを提供することができる。
【図面の簡単な説明】
【００２４】
【図１】本発明の一実施形態である建築支援システムの機能的な構成を示すブロック図である。
【図２】図１の建築支援システムのフローチャートである。
【図３】建築支援システムの入力画面１を示す説明図である。
【図４】建築支援システムの入力画面２を示す説明図である。
【図５】建築有縁システムの入力画面３を示す説明図である。
【図６】建築支援システムの出力画面を示す説明図である。
【発明を実施するための形態】
【００２５】
本発明の一実施形態である建築支援システム１について、図１乃至図６を参照して詳細に説明する。建築支援システム１は、顧客の希望する希望建物情報２ａ、生活スタイル情報２ｂ、及びランニングコスト情報２ｃ、を入力するための入力手段２と、各種演算に必要なデータが予め記憶されているデータベース３と、各種演算を行うための演算処理装置（ＣＰＵ）を備えた演算手段４と、演算手段４による算出結果等を出力するための出力手段５と、を備えている。入力手段２は、キーボード及びマウスによって構成されている。また、データベース３は、ハードディスクドライブ又はフラッシュメモリによって構成されている。更に、出力手段５は、液晶表示装置及びプリンタによって構成されている。
【００２６】
入力手段２により入力される希望建物情報２ａには、希望する建物の坪数、建物の階数、庇の深さ、敷地周囲の空き、建物の向き、南向きの窓の大きさ、建築地、予定居住年数、希望の間取（部屋数）、建物の外観、天井の高さ、気密性能値（Ｃ値）、換気熱交換率、風通し、換気方法、部屋の明るさ、小屋裏利用有無、建物構造、開口部仕様、等が含まれている。また、生活スタイル情報２ｂには、家族の人数、終日在宅人数、外出時間、冬季の希望体感室温、夏季の希望体感室温、使用する冷暖房設備、風呂の追い炊きの有無、所有家電製品、室内での着衣量、家族の中の疾病者数、太陽光発電設備の有無、太陽光温水器の有無、グリーンカーテンの有無、等が含まれている。更に、ランニングコスト情報２ｃには、冬季の希望暖房費、夏季の冷房費、春秋の光熱費、等が含まれている。
【００２７】
データベース３には、地域（市区町村）毎の１年間分の毎時間の気温及び日照時間を含む気象データ、建物の坪単価データ、建物の外皮面積係数データ、建物の各部位のＵ値データ（床のＵ値データ、壁のＵ値データ、天井のＵ値データ、屋根のＵ値データ、窓のＵ値データ）、建物の各部位の部材の単価データ、光熱費単価データ（電気代、ガス代、水道代、灯油代、等）、換気熱交換率、その他の係数や、ＳＩ単位系以外の単位をＳＩ単位系に換算するための換算定数、等が含まれている。
【００２８】
演算手段４は、図１に示すように、入力された、庇深さ、建物の向き、及び敷地周囲の空き、に基づいて冬季窓日射取得率を算出する冬季窓日射取得率算出手段１１と、入力された建築地における冬季の気温をデータベース３から抽出して冬季平均気温を算出する冬季平均気温算出手段１２と、入力された建築地における冬季の日照時間をデータベース３から抽出して冬季平均日照時間を算出する冬季平均日照時間算出手段１３と、入力された建物の坪数に基づいて、建物の換気係数を算出する換気係数算出手段１４と、入力された建物の坪数、データベース３から抽出された外皮面積係数、に基づいて、建物の想定外皮面積を算出する想定外皮面積算出手段１５と、入力された建物の坪数、建物の階数、データベース３から抽出された外皮面積係数、に基づいて、建物の想定床外皮面積を算出する想定床外皮面積算出手段１６と、入力された建物の坪数、建物の階数、データベース３から抽出された外皮面積係数、に基づいて、建物の想定屋根外皮面積を算出する想定屋根外皮面積算出手段１７と、算出された想定外皮面積、想定床外皮面積、想定屋根外皮面積、に基づいて、建物の想定壁外皮面積を算出する想定壁外皮面積算出手段１８と、入力された、庇深さ、建物の向き、及び敷地周囲の空き、に基づいて夏季窓日射取得率を算出する夏季窓日射取得率算出手段１９と、を備えている。
【００２９】
また、演算手段４は、入力された建物の坪数、冬季の希望暖房費、使用する冷暖房設備、南向きの窓の大きさ、終日在宅人数、外出時間、冬季の希望体感温度、及び、算出された冬季窓日射取得率、冬季平均日照時間、冬季平均気温、及び、データベース３から抽出された光熱費単価データ、に基づいて、希望する建物の性能の一つとしての熱損失係数を算出する熱損失係数算出手段２０と、算出された熱損失係数、換気係数、想定外皮面積、に基づいて、希望する建物の性能の一つとしての外皮平均熱貫流率を算出する外皮平均熱貫流率算出手段２１と、算出された想定外皮面積、想定床外皮面積、想定屋根外皮面積、想定壁外皮面積、及びデータベース３から抽出された各部位のＵ値データ、に基づいて、希望する建物の窓総面積を算出する窓総面積算出手段２２と、入力された建物の坪数、及び、算出された熱損失係数、窓総面積、及び、データベース３から抽出された建物の坪単価データ、外皮面積係数、各部位のＵ値データ、に基づいて、希望する建物の本体価格を算出する建物本体価格算出手段２３と、を備えている。
【００３０】
更に、演算手段４は、入力された建物の坪数、冬季の希望体感室温、使用する冷暖房設備、算出された熱損失係数、冬季平均気温、に基づいて冷暖房設備投資金額を算出する冷暖房設備投資金額算出手段２４と、入力された太陽光発電設備の有無に基づいて太陽光設備投資金額を算出する太陽光設備投資金額算出手段２５と、入力された建物の坪数、家族の人数、終日在宅人数、外出時間、予定居住年数、使用する冷暖房設備、南向きの窓の大きさ、機密性能値、算出された冬季窓日射取得率、夏季窓日射取得率、熱損失係数、窓総面積、及び、データベース３から抽出された光熱費単価データ、に基づいて、予定居住年数の全期間冷暖房費を算出する全期間冷暖房費算出手段２６と、入力された建物の向き、予定居住年数、家族の人数、希望の間取、所有家電製品、太陽光発電設備の有無、及び、データベース３から抽出された光熱費単価データ、に基づいて、予定居住年数における冷暖房費を除いた全期間水道光熱費を算出する全期間水道光熱費算出手段２７と、入力された予定居住年数、家族の中の疾病者数、及び、算出された熱損失係数、に基づいて健康に関する経済的便益を算出する健康に関する経済的便益算出手段２８と、入力された予定居住年数、及び、算出された建物の本体価格、冷暖房設備投資金額、太陽光設備投資金額、全期間冷暖房費、全期間水道光熱費、健康に関する経済的便益、に基づいて、合計金額を算出する合計金額算出手段２９と、を備えている。
【００３１】
ここで、健康に関する経済的便益とは、寒さに起因する疾病等を、建物の断熱性能により予防して居住者の健康を維持することで得られる経済的便益（金額）のことである。本実施形態では、熱損失係数の値が、１．９以下の時に、健康に関する経済的便益が算出される。
【００３２】
出力手段５は、熱損失係数算出手段２０で算出された熱損失係数、外皮平均熱貫流率算出手段２１で算出された外皮平均熱貫流率、窓総面積算出手段２２で算出された窓総面積、建物本体価格算出手段２３で算出された建物本体価格、冷暖房設備投資金額算出手段２４で算出された冷暖房設備投資金額、太陽光設備投資金額算出手段２５で算出された太陽光設備投資金額、全期間冷暖房費算出手段２６で算出された全期間冷暖房費、全期間水道光熱費算出手段２７で算出された全期間水道光熱費、健康に関する経済的便益算出手段２８で算出された健康に関する経済的便益、そして、合計金額算出手段２９で算出された合計金額を、表示により出力する。
【００３３】
次に、本実施形態の建築支援システム１の動作について、主に図２乃至図６を参照して説明する。図３乃至図６において、角括弧書きの記載は、説明のためのものであり、実際の画面上には表示されない。この建築支援システム１は、パーソナルコンピュータ上においてプログラムを実行すると、初めのステップＳ１０では、顧客の希望建物情報２ａ、生活スタイル情報２ｂ、ランニングコスト情報２ｃを入力するために、出力手段５に図３乃至図５のような入力画面が表示される。各情報の入力は、表示された入力欄（図中の網掛け部分）に、数値を入力するか、選択肢の中から選択する。選択肢は、入力欄をアクティブにする（カーソルを移動、又は、マウスで左クリック）と、プルダウン表示される。
【００３４】
例えば、図３の入力画面１において、「建築地」の入力欄では、詳細な図示は省略するが、まず、選択肢として都道府県が表示された上で、選択した都道府県に属する市区町村が選択肢として更に表示され、表示された市区町村の中から選択する。
【００３５】
また、「給湯機は」の入力欄では、「電気温水器」、「高効率ガス給湯器」、「高効率電気温水器（自然冷媒ヒートポンプ給湯器）」、「高効率ガス給湯器＋太陽熱温水器」、の選択肢の中から選択する。給湯器の選択項において、「電気温水器」には「０円」、「高効率ガス給湯器」には「−５００００円」、「高効率電気温水器」と「高効率ガス給湯器＋太陽熱温水器」には夫々「−８００００円」の「給湯器削減分」が設定されており、選択された給湯器に応じた「給湯器削減分」が加算される。また、入力画面１の「風呂の追い炊きの有無」の入力欄では、「有」、「無」の何れかを選択し、「有」では「＋２００００円」が、「無」では「０円」が、「給湯器削減分」に加算される。なお、給湯器の入力欄では、選択肢として、メーカー名や商品名（サービス名）等が表示されるようにしても良い。
【００３６】
また、入力画面１の「暑さには」の入力欄では、「強い」、「普通」、「弱い」の選択肢があり、何れかを選択することで、「強い」では「３０℃」が、「普通」では「２８℃」が、「弱い」では「２６℃」が、「夏季の希望体感室温」として入力されたことになる。また、入力画面１の「寒さには」の入力欄では、「強い」、「普通」、「弱い」の選択肢があり、何れかを選択することで、「強い」では「１６℃」が、「普通」では「１９℃」が、「弱い」では「２２℃」が、「冬季の希望体感室温」として入力されたことになる。
【００３７】
更に、入力画面１の「薄暗いのは」の入力欄では、「気になる」、「気にならない」、の何れかを選択することで、「気になる」では「＋３ｍ２」が、「気にならない」では「０ｍ２」が、「南向き窓の大きさ」として規定値６ｍ２に対して加算される。また、入力画面１の「南の窓は」の入力欄では、「大きく」、「大きめ」、「普通」、の何れかを選択することで、「大きく」では「＋４ｍ２」が、「大きめ」では「＋２ｍ２」が、「普通」では「０ｍ２」が、「南向き窓の大きさ」として規定値６ｍ２に対して加算される。
【００３８】
また、入力画面１の「冬の厚着は」の入力欄では、「気にならない」、「気になる」、の何れかから選択することで、「気にならない」では「＋０℃」が、「気になる」では「＋２℃」が、「冬季の希望体感温度」に加算される。また、入力画面１の「太陽光発電は」の入力欄では、「有」、「無」、の何れかから選択することで、「太陽光発電設備の有無」が入力されたことになる。
【００３９】
入力画面１での入力が完了すると、図４に示す入力画面２に切替わる。入力画面２の「敷地周囲の空きは」の入力欄では、「広い」、「普通」、「狭い」、の何れかから選択することで、「広い」では「１．０」が、「普通」では「０．９」が、「狭い」では「０．５」が、「敷地周囲の空き」として入力されたことになる。また、入力画面２の「庇は」の入力欄では、「深く」、「普通」、「浅く」、の何れかから選択することで、「深く」では「０．６」が、「普通」では「０．８」が、「浅く」では「０．９」が、「庇の深さ」として入力されたことになる。更に、入力画面２の「建物の真南からの振れは」の入力欄では、「０゜」、「１０゜」、「２０゜」、「３０゜」、「４０゜」、の何れかから選択することで、「０゜」では「１．０」が、「１０゜」では「０．９」が、「２０゜」では「０．７」が、「３０゜」では「０．６」が、「４０゜」では「０．５」が、「建物の向き」として入力されたことになる。
【００４０】
更に、入力画面２の「グリーンカーテンなどを」の入力欄では、「やりたい」、「興味ない」、の何れかを選択することで、「やりたい」では「０．５」が、「興味ない」では「１．０」が、「朝夕日補正値」として入力されたことになる。
【００４１】
また、入力画面２の「天井は」の入力欄では、「高く」、「普通」、「低く」、の何れかから選択することで、「高く」では「２．６ｍ」が、「普通」では「２．４ｍ」が、「低く」では「２．２ｍ」が、「天井の高さ」として入力されたことになる。また、入力画面２の「熱交換換気を」の入力欄では、「入れる」、「入れない」、の何れかを選択することで、「入れる」では「０．８」が、「入れない」では「０」が、「換気熱交換率」として入力されたことになる。
【００４２】
また、入力画面２の「窓のグレードは」の入力欄では、「粗悪」、「廉価」、「普通」、「中級」、「高級」、「超高級」、の何れかから選択する。ここでは、選択肢毎に割り当てられた「窓のＵ値」がデータベース３に記憶されており、「粗悪」では「４．６」が、「廉価」では「２．３３」が、「普通」では「２．０」が、「中級」では「１．５」が、「高級」では「１．３」が、「超高級」では「１．０」が、夫々「窓のＵ値」としてデータベース３から抽出される。なお、図示は省略するが、データベース３では、「窓のＵ値」の入力項目と対応するように、「床のＵ値」、「壁のＵ値」、「天井（屋根）のＵ値」が、予め設定されている。つまり、窓のグレードを選択すると、床、壁、天井（屋根）、のグレードも、自動的に選択される。
【００４３】
また、入力画面２の「エアコンは」の入力欄では、「今までの」、「市販品」、「専用設計品」、「トップランナーモデル」、の何れかから選択することで、「今までの」では「３．０」が、「市販品」では「４．０」が、「専用設計品」では「５．０」が、「トップランナーモデル」では「６．０」が、「使用する冷暖房設備」としての「通年エネルギー消費効率（ＡＰＦ）」が入力されたことになる。なお、窓やエアコンの入力欄では、選択肢として、メーカー名や商品名（品番）等が表示されるようにしても良い。
【００４４】
入力画面２での入力が完了すると、図５に示す入力画面３に切替わる。この入力画面３では、「イメージに近い外観の形を選んでください」の文字の下に、外観の異なる複数の建物が表示されており、その中から希望する外観の建物を選択する。ここでは、各建物の画像（イメージ）と、その建物の「外皮面積係数」とが、互いに関連付けられた状態でデータベース３に記憶されており、データベース３から抽出された建物の画像が表示されている。そして、希望する外観の建物を選択することで、「建物の外観」が入力されたことになり、「建物の外観」に応じた「外皮面積係数」が入力されたことになる。
【００４５】
このようにして、ステップＳ１０において、各入力欄の入力が完了すると、次のステップＳ１１では、冬季窓日射取得率算出手段１１により、入力された、「庇深さ」、「建物の向き」、及び「敷地周囲の空き」とから「冬季窓日射取得率」を算出する。次のステップＳ１２では、冬季平均気温算出手段１２により、入力された「建築地」を用いて該当する地域における１月の時間毎の気温データをデータベース３から抽出して、一日の「冬季平均気温」を算出する。更に、次のステップＳ１３では、冬季平均日照時間算出手段１３により、入力された「建築地」を用いて該当する地域における１月の毎時間毎の日照時間データをデータベース３から抽出して、一日の「冬季平均日照時間」を算出する。
【００４６】
続くステップＳ１４では、熱損失係数算出手段２０により、建物の「熱損失係数」を算出する。具体的には、「寒さには」の入力欄により入力された「冬季の希望体感室温」と、算出された「冬季平均気温」とから、「建物内外の温度差」を得る。また、「寒い時期の暖房費は一日に」の入力欄により入力された「金額」（希望のランニングコスト）と、「エアコンは」の入力欄により入力された「通年エネルギー消費効率」と、データベース３から抽出された「光熱費データ」とから、「エアコンによる熱量」を得る。また、「薄暗いのは」と「南の窓は」の入力欄により入力された「南向き窓の大きさ」と、算出された「冬季窓日射取得率」及び「冬季平均日照時間」とから、冬季の「日差しによる熱量」を得る。更に、「家族は」の入力欄により入力された「家族の人数」と、「ずっと家にいるのは」の入力欄により入力された「終日在宅人数」と、「仕事学校の人の滞在時間」の入力欄により入力された「外出時間」とから、「人的熱量」を得る。そして、「エアコンによる熱量」と「日差しによる熱量」と「人的熱量」とから、「全体の熱量」を得る。この得られた「全体の熱量」を、「希望の坪数は」の入力欄により入力された「建物の坪数」と「建物内外の温度差」とで割ることにより、「熱損失係数」が算出される。
【００４７】
次のステップＳ１５では、換気係数算出手段１４により、「換気係数」を算出する。具体的には、「希望の坪数は」の入力欄により入力された「建物の坪数」と、「天井は」の入力欄により入力された「天井の高さ」とから、「建物の気積」を得る。そして、「建物の気積」と、「目安のＣ値は」の入力欄により入力された「Ｃ値」と、データベース３から抽出された換気熱交換率（定数）とから、「換気係数」を算出する。
【００４８】
次のステップＳ１６では、想定外皮面積算出手段１５により、「希望の坪数は」の入力欄により入力された「建物の坪数」と、「イメージに近い外観の形を選んでください」の入力欄により入力されてデータベース３から抽出された「外皮面積係数」とから、「想定外皮面積」を算出する。
【００４９】
そして、次のステップＳ１７では、外皮平均熱貫流率算出手段２１により、算出された「熱損失係数」を「希望の坪数は」の入力欄により入力された「建物の坪数」で割った値から、算出された「換気係数」を引いた上で、算出された「想定外皮面積」で割ることによって「外皮平均熱貫流率」を算出する。
【００５０】
続くステップＳ１８では、想定床外皮面積算出手段１６により、「希望の坪数は」の入力欄により入力された「建物の坪数」と、「建物の階数は」の入力欄により入力された「建物の階数」と、「イメージに近い外観の形を選んでください」の入力欄により入力されてデータベース３から抽出された「外皮面積係数」とから、「想定床外皮面積」を算出する。次のステップＳ１９では、想定屋根外皮面積算出手段１７により、「希望の坪数は」の入力欄により入力された「建物の坪数」と、「建物の階数は」の入力欄により入力された「建物の階数」と、「イメージに近い外観の形を選んでください」の入力欄により入力されてデータベース３から抽出された「外皮面積係数」とから、「想定屋根外皮面積」を算出する。次のステップＳ２０では、想定壁外皮面積算出手段１８により、算出された「想定外皮面積」、「想定床外皮面積」、及び「想定屋根外皮面積」から、「想定壁外皮面積」を算出する。
【００５１】
次のステップＳ２１では、窓総面積算出手段２２により、算出された「熱損失係数」、「想定外皮面積」、「想定床外皮面積」、「想定屋根外皮面積」、「想定壁外皮面積」、及び、「窓のグレードは」の入力欄により入力されてデータベース３から抽出された「窓のＵ値」、「床のＵ値」、「天井（屋根）のＵ値」、「壁のＵ値」から、「窓総面積」を算出する。
【００５２】
そして、次のステップＳ２２では、建物本体価格算出手段２３により、「希望の坪数は」の入力欄により入力された「建物の坪数」と、「イメージに近い外観の形を選んでください」の入力欄により入力されてデータベース３から抽出された「外皮面積係数」と、「熱交換換気を」の入力欄により入力された「換気熱交換率」と、「目安のＣ値は」の入力欄により入力された「Ｃ値」と、「窓のグレードは」の入力欄により入力されてデータベース３から抽出された「窓のＵ値」と、算出された「熱損失係数」及び「窓総面積」と、データベース３から抽出された「建物の坪単価データ」とから、「建物本体価格」を算出する。
【００５３】
次のステップＳ２３では、冷暖房設備投資金額算出手段２４により、「希望の坪数は」の入力欄により入力された「建物の坪数」と、「寒さには」の入力欄により入力された「冬季の希望体感室温」と、「エアコンは」の入力欄により入力された「通年エネルギー消費効率」と、算出された「冬季平均気温」及び「熱損失係数」と、データベース３から抽出された「光熱費データ」とから、「冷暖房設備投資金額」を算出する。続くステップＳ２４では、太陽光設備投資金額算出手段２５により、「太陽光発電は」の入力された「太陽光発電設備の有無」により、「太陽光設備投資金額」を算出する。
【００５４】
また、次のステップＳ２５では、夏季窓日射取得率算出手段１９により、入力された、「庇深さ」、「建物の向き」、及び「敷地周囲の空き」と、「グリーンカーテンなどを」の入力欄により入力された「朝夕日補正値」とから「夏季窓日射取得率」を算出する。
【００５５】
次のステップＳ２６では、全期間冷暖房費算出手段２６により、「希望の坪数は」の入力欄により入力された「建物の坪数」と、「家族は」の入力欄により入力された「家族の人数」と、「ずっと家にいるのは」の入力欄により入力された「終日在宅人数」と、「仕事学校の人の滞在時間」の入力欄により入力された「外出時間」と、「エアコンは」の入力欄により入力された「通年エネルギー消費効率」と、「何年くらい住む？」の入力欄により入力された「予定居住年数」と、「目安のＣ値は」の入力欄により入力された「Ｃ値」と、「建築地は」の入力欄により入力された「建築地」を用いてデータベース３から抽出された該当する地域の一年間の「気象データ」と、「薄暗いのは」と「南の窓は」の入力欄により入力された「南向き窓の大きさ」と、データベース３から抽出された「光熱費データ」と、算出された「熱損失係数」、「窓総面積」、「換気係数」、「冬季窓日射取得率」、及び「夏季窓日射取得率」とから、「全期間冷暖房費」を算出する。
【００５６】
また、次のステップＳ２７では、全期間水道光熱費算出手段２７により、「家族は」の入力欄により入力された「家族の人数」と、「希望の間取は」の入力欄により入力された「希望の間取（部屋数）」と、「給湯機は」及び「風呂の追い炊きの有無」の入力欄により入力された「給湯器削減分」と、「何年くらい住む？」の入力欄により入力された「予定居住年数」と、「建物の真南からの振れは」の入力欄により入力された「建物の向き」と、「太陽光発電は」の入力された「太陽光発電設備の有無」と、「建築地は」の入力欄により入力された「建築地」を用いてデータベース３から抽出された該当する地域の一年間の「日照時間」と、データベース３から抽出された「光熱費データ」とから、全期間における冷暖房費を除いた「全期間水道光熱費」を算出する。
【００５７】
更に、次のステップＳ２８では、健康に関する経済的便益算出手段２８により、「何年くらい住む？」の入力欄により入力された「予定居住年数」と、「病気、疾患のある家族は」の入力欄により入力された「家族の中の疾病者数」と、算出された「熱損失係数」とから、「健康に関する経済的便益」を算出する。
【００５８】
また、続くステップＳ２９では、合計金額算出手段２９により、「何年くらい住む？」の入力欄により入力された「予定居住年数」と、算出された「建物本体価格」、「冷暖房設備投資金額」、「太陽光設備投資金額」、「全期間冷暖房費」、「全期間水道光熱費」、及び「健康に関する経済的便益」とから、「合計金額」を算出する。
【００５９】
そして、次のステップＳ３０では、算出された「熱損失係数」、「外皮平均熱貫流率」、「窓総面積」、「建物本体価格」、「冷暖房設備投資金額」、「太陽光設備投資金額」、「全期間冷暖房費」、「全期間水道光熱費」、「健康に関する経済的便益」、及び「合計金額」を、出力画面として出力手段５により表示する（図６を参照）。図６では、図３乃至図５において入力欄に記載された内容に基づいて算出された結果が記載してある。また、出力画面では、「総窓面積」の下に「南向き窓の大きさ（南面窓面積）」が表示されると共に、その左に、「総窓面積」が「南面窓面積」よりも大きい場合は「適合」が、小さい場合は「不適合」が表示される。「不適合」が表示された場合は、出力画面上の「入力内容変更」を選択（マウスでクリック）して、入力画面に戻る。
【００６０】
続くステップＳ３１において、「入力内容変更」するか否かを選択する。出力画面では「入力内容変更」と「終了」のボタンが表示される。「入力内容変更」を選択すると、「ＹＥＳ」としてステップＳ１０に戻って入力画面１が表示される。戻った入力画面１から入力画面３では、先に入力した数値や選択した項目が、入力欄に表示されており、変更したい項目の入力欄のみに入力すれば良い。「入力内容変更」は、例えば、生活スタイル情報２ｂとしての給湯器やエアコンの種類を変更したい時や、建物の仕様（ここでは、「窓のグレード（窓のＵ値）」）を変更したい時に、選択する。一方、建築支援システム１（プログラム）を終了する時には、「終了」を選択することで、ステップＳ３１において「ＮＯ」となり、終了する。
【００６１】
このように、本実施形態の建築支援システム１によれば、希望建物情報２ａと、生活スタイル情報２ｂと、ランニングコスト情報２ｃと、を入力すると、顧客の希望した生活スタイルやランニングコストにマッチした建物の性能と建物の価格（建物本体価格）とが出力されるため、顧客の希望するランニングコストや生活スタイルに基づいて建てるべき建物を提示することができる。
【００６２】
また、建てるべき建物の性能として、「熱損失係数」に加えて、「外皮平均熱貫流率」も出力するため、建物の性能として二種類の指標を提示することで、顧客に対して建てるべき建物の性能をより理解し易くすることができる。
【００６３】
更に、建物本体価格を算出する際に、外皮平均熱貫流率から算出した窓総面積を用いることで、建物における壁と窓の割合を明確にしており、より現実に近い建物本体価格を算出することができ、顧客の希望した生活スタイルやランニングコストにマッチした建物の価格を提示することができる。
【００６４】
また、顧客の希望する「建物の外観」を入力すると、その希望した建物の外観で、顧客の希望した生活スタイルやランニングコストにマッチした建物の性能や価格が出力されるため、顧客の希望するランニングコストや生活スタイルに基づいた建物を提示することができる。
【００６５】
以上、本発明について好適な実施形態を挙げて説明したが、本発明は上記の実施形態に限定されるものではなく、本発明の要旨を逸脱しない範囲において、種々の改良及び設計の変更が可能である。
【００６６】
例えば、上記の実施形態では、「窓のＵ値」に対して、「床のＵ値」、「壁のＵ値」、「天井のＵ値」、「屋根のＵ値」、を関連付けたものを示したが、これに限定するものではなく、「床のＵ値」、「壁のＵ値」、「天井のＵ値」、「屋根のＵ値」、の夫々を入力手段２によって夫々複数のグレードで選択的に入力できるようにしても良い。
【００６７】
また、上記の実施形態では、一つのコンピュータ上にデータベース３を備えたものを示したが、これに限定するものではなく、データベースをネットワーク上に備え、通信回線やインターネットを介してアクセスできるようにしても良い。
【００６８】
また、上記の実施形態では、ステップＳ１１の冬季窓日射取得率の算出、ステップＳ１２の冬季平均気温の算出、ステップＳ１３の冬季平均日照時間の算出、の順に実行するものを示したが、これに限定するものではなく、ステップＳ１１からステップＳ１３を、適宜に並び変えて実行しても良い。
【００６９】
更に、上記の実施形態では、希望建物情報２ａ、生活スタイル情報２ｂ、ランニングコスト情報２ｃを入力際に、入力画面１から入力画面３の三つに分けたものを示したが、これに限定するものではなく、一つの入力画面としても良いし、四つ以上に分けた入力画面としても良い。また、各入力画面において、「戻る」及び「進む」のようなボタンを設けて、前の入力画面に戻れるようにしたり、先の入力画面に進めるようにしたりしても良い。
【００７０】
また、上記の実施形態では、出力画面において、「終了」と「入力内容変更」のボタンのみを備えたものを示したが、これに限定するものではなく、「印刷」ボタンを備えて、入力した内容と算出結果とをプリントアウトできるようにしても良い。
【符号の説明】
【００７１】
１  建築支援システム
２  入力手段
２ａ  希望建物情報
２ｂ  生活スタイル情報
２ｃ  ランニングコスト情報
３  データベース
４  演算手段
５  出力手段
１１  冬季窓日射取得率算出手段
１２  冬季平均気温算出手段
１３  冬季平均日照時間算出手段
１４  換気係数算出手段
１５  想定外皮面積算出手段
１６  想定床外皮面積算出手段
１７  想定屋根外皮面積算出手段
１８  想定壁外皮面積算出手段
１９  夏季窓日射取得率算出手段
２０  熱損失係数算出手段
２１  外皮平均熱貫流率算出手段
２２  窓総面積算出手段
２３  建物本体価格算出手段
２４  冷暖房設備投資金額算出手段
２５  太陽光設備投資金額算出手段
２６  全期間冷暖房費算出手段
２７  全期間水道光熱費算出手段
２８  健康に関する経済的便益算出手段
２９  合計金額算出手段
【図１】
0006714912.tif 000002
【図２】
0006714912.tif 000003
【図３】
0006714912.tif 000004
【図４】
0006714912.tif 000005
【図５】
0006714912.tif 000006
【図６】
0006714912.tif 000007